(57)【特許請求の範囲】
【請求項１】
注ぎ入れ機を含み、前記注ぎ入れ機の中には左右に貫通する注ぎ入れ空間が設置され、
前記注ぎ入れ空間の内部の下側には輸送装置が設置され、前記輸送装置の中にはベルトコンベアが設置され、前記注ぎ入れ空間の左上方には注ぎ入れ装置が設置され、前記注ぎ入れ装置は左昇降空間を含み、前記左昇降空間は前記注ぎ入れ空間の上壁の左側に連通するように設置され、前記左昇降空間の中には左昇降板が上下にスライドできるように設置され、前記左昇降板の下端面には九つの注ぎ入れヘッドが固定的に設置され、且つ前記九つの注ぎ入れヘッドは矩形を呈して配列され、前記左昇降板の中には栄養液貯蔵空間が設置され、前記栄養液貯蔵空間の上壁の中には環状の押し板空間が連通するように設置され、前記押し板空間の中には下押し板が上下にスライドできるように設置され、前記下押し板の上端面には昇降ロッドが左右対称的に、且つ固定的に設置され、前記昇降ロッドの上端は前記左昇降板の上方に延在し、前記ベルトコンベアは整列したボトルを前記注ぎ入れヘッドの真下に移動させ、前記昇降ロッドは前記下押し板を下降させ、前記左昇降板は自身の重力で下降することで、前記注ぎ入れヘッドを駆動してボトルの口に下降させ、この時に前記左昇降板は下降しなくなり、前記下押し板は下降し続け、前記栄養液貯蔵空間を圧縮し、前記栄養液貯蔵空間の中にある植物栄養液は前記注ぎ入れヘッドを通してボトルの中に注がれ、
前記注ぎ入れ空間の右上方には蓋かぶせ装置が設置され、前記蓋かぶせ装置は前記注ぎ入れ空間の上壁の右端に設置された右昇降空間を含み、前記右昇降空間の中には右昇降板が上下にスライドできるように設置され、前記右昇降板の中には九つの蓋かぶせ空間が上下に貫通するように設置され、且つ前記九つの蓋かぶせ空間が矩形を呈して配列され、前記右昇降空間の上壁には上方に開口した蓋貯蔵空間が連通するように設置され、前記蓋貯蔵空間は前記蓋かぶせ空間の上方に正対し、前記蓋貯蔵空間の中に貯蔵される蓋は前記蓋かぶせ空間の中に落ち、前記ベルトコンベアは蓋を前記右昇降板の下方に輸送する時に、前記右昇降板が下降すると前記蓋かぶせ空間の中の蓋をボトルの口にかぶせることができることを特徴とする植物栄養液の注ぎ入れ装置。
【請求項２】
前記栄養液貯蔵空間の下壁の中には前記注ぎ入れヘッドの上方に正対するゴムリングが固定的に設置され、前記ゴムリングは矩形を呈して配列されていることを特徴とする請求項１に記載の植物栄養液の注ぎ入れ装置。
【請求項３】
前記輸送装置は輸送車輪を含み、前記輸送車輪は前記注ぎ入れ空間の前後壁に左右対称的に、且つ回転できるように連結され、前記ベルトコンベアは前記輸送車輪に巻き付くように設置され、前記注ぎ入れ空間の後壁にはタイミング空間が設置され、且つ前記タイミング空間は前記輸送車輪の後側に正対し、前記タイミング空間の中にはタイミングプーリが左右対称的に、且つ回転できるように設置され、且つ前記タイミングプーリは前記輸送車輪の後端に固定的に連結され、前記タイミングプーリの間にはタイミングベルトが巻き付くように設置され、前記タイミング空間の後壁の右端には輸送モーターが固定的に設置され、右側の前記タイミングプーリは前記輸送モーターの前端に伝動できるように連結されていることを特徴とする請求項１に記載の植物栄養液の注ぎ入れ装置。
【請求項４】
前記左昇降空間の上側にはカム空間が設置され、前記カム空間の中には往復板が上下にスライドできるように設置され、前記往復板の下端面の中心と前記カム空間の下壁との間には押圧ばねが固定的に連結され、前記カム空間の前後壁には回転軸が回転できるように設置され、且つ前記回転軸は前記往復板の上側に位置し、前記回転軸の外円周面にはカムが固定的に設置され、且つ前記カムは前記往復板の上端面と当接し、前記カム空間と前記左昇降空間との間には連通口が左右対称的に、且つ連通するように設置され、前記昇降ロッドの上端は前記連通口を貫通して前記往復板の下端面に固定的に連結されていることを特徴とする請求項１に記載の植物栄養液の注ぎ入れ装置。
【請求項５】
前記左昇降空間の上壁の中心には栄養液送り込みパイプが連通するように設置され、前記左昇降空間の上壁の中心には伸縮パイプが固定的に連結され、且つ前記伸縮パイプは前記栄養液送り込みパイプに連通し、前記伸縮パイプの下端は前記左昇降板の上端面の中心に固定的に連結され、前記栄養液貯蔵空間の上壁の中心にはバルブポートが連通するように設置され、且つ前記バルブポートは前記伸縮パイプに連通し、前記バルブポートの中には逆止弁が固定的に設置され、植物栄養液は前記バルブポートを通して前記栄養液貯蔵空間の中にしか入れないことを特徴とする請求項１に記載の植物栄養液の注ぎ入れ装置。
【請求項６】
前記左昇降空間の左右壁には復帰空間が対称的に、且つ連通するように設置され、前記復帰空間の中には復帰ブロックが上下にスライドできるように設置され、且つ前記復帰ブロックは前記左昇降板の左右両端に固定的に連結され、前記復帰ブロックの下端と前記復帰空間の下壁と間には復帰ばねが固定的に連結されていることを特徴とする請求項１に記載の植物栄養液の注ぎ入れ装置。
【請求項７】
前記蓋かぶせ空間の左右壁には反転空間が対称的に、且つ連通するように設置され、前後に整列した前記反転空間を一列とし、同じ列に位置する前記反転空間の前後壁の間には反転軸が貫通するように、且つ回転できるように設置され、前記反転軸の外円周面には反転ロッドが固定的に設置され、且つ前記反転ロッドは各前記反転空間の中に位置し、前記反転ロッドにおいて前記蓋かぶせ空間に近接した片側端面にはパレットが上下対称的に、且つ固定的に設置され、前記右昇降板の中の後側には伝動空間が左右に貫通するように設置され、一番左側と一番右側に位置する前記反転軸の後端において前記伝動空間の中に延在した部分には主動平歯車が固定的に設置され、前記主動平歯車の後端には主動プーリが固定的に設置され、中間に位置する左右両側の前記反転軸の後端において前記伝動空間の中に延在した部分には伝動平歯車が固定的に設置され、前記伝動平歯車の後端には従動プーリが固定的に設置され、前記従動プーリと同じ側の主動プーリとの間には伝動ベルトが巻き付くように設置され、前記主動平歯車と前記伝動平歯車の間に位置する前記反転軸の後端において前記伝動空間の中に延在した部分には従動平歯車が固定的に設置され、且つ前記従動平歯車は前記伝動平歯車と噛み合うことを特徴とする請求項１に記載の植物栄養液の注ぎ入れ装置。
【請求項８】
前記右昇降空間の左右両壁の後側にはラックが対称的に、且つ固定的に設置され、左右両側の前記主動平歯車はそれぞれ左右両側の前記ラックと噛み合うことを特徴とする請求項１に記載の植物栄養液の注ぎ入れ装置。
【請求項９】
前記右昇降空間の前後壁の上側にはクランク空間が連通するように設置され、前記クランク空間において前記右昇降空間から離れた片側内壁にはクランクが回転できるように設置され、前記クランクにおいて前記右昇降空間に近接した一端の偏心部分にはコンロッドがヒンジで連結され、前記コンロッドの下端は前記右昇降板の前後両端にヒンジで連結され、前記クランクの回転中心には伝動軸が固定的に設置され、
前記クランク空間において前記右昇降空間から離れた片側には鎖歯車空間が設置され、前記伝動軸において同じ側の前記鎖歯車空間の中に延在した部分には従動鎖歯車が固定的に設置され、前記従動鎖歯車の左側には主動鎖歯車が回転できるように設置され、且つ前記主動鎖歯車は前記回転軸の前後両側に正対し、前記主動鎖歯車と前記従動鎖歯車との間にはチェーンが巻き付くように設置されていることを特徴とする請求項１に記載の植物栄養液の注ぎ入れ装置。
【請求項１０】
前記カム空間の後壁と後側の前記鎖歯車の前壁との間には作動モーターが固定的に設置さ、後側の前記主動鎖歯車は前記作動モーターの後端に伝動できるように連結され、前記回転軸の後端は前記作動モーターの前端に伝動できるように連結され、前側の前記主動鎖歯車は前記回転軸の前端に固定的に連結されていることを特徴とする請求項１に記載の植物栄養液の注ぎ入れ装置。
【発明の詳細な説明】
【技術分野】
【０００１】
本願発明は溶液の注ぎ入れ技術分野に関し、具体的には植物栄養液の注ぎ入れ装置である。
【背景技術】
【０００２】
人々の生活水準の向上に伴い、ますます多くの人は自宅で花や植物を育てることを好んできた。植物に十分な栄養を提供するために、植物に栄養液を与える必要がある。植物栄養液は一般にボトルに注ぎ入れて販売されるのであり、栄養液を注ぎ入れる過程に、通常、一つずつボトルに注ぎ入れてから蓋をかぶせるため、生産効率が低下する。本願発明は上記の問題を解決する装置を明らかにする。
【先行技術文献】
【特許文献】
【０００３】
【特許文献１】中国特許出願公開第１０４１７６６８９号明細書
【発明の概要】
【発明が解決しようとする課題】
【０００４】
技術問題：一般に植物栄養液をボトルに注ぎ入れるのは一つずつ注ぎ入れてから蓋をかぶせる方法をとるため、生産効率が低下する。
【課題を解決するための手段】
【０００５】
上記の問題を解決するため、本願発明は植物栄養液の注ぎ入れ装置を設計する。
【０００６】
本願発明の植物栄養液の注ぎ入れ装置は、注ぎ入れ機を含み、前記注ぎ入れ機の中には左右に貫通する注ぎ入れ空間が設置され、前記注ぎ入れ空間の内部の下側には輸送装置が設置され、前記輸送装置の中にはベルトコンベアが設置され、前記注ぎ入れ空間の左上方には注ぎ入れ装置が設置され、前記注ぎ入れ装置は左昇降空間を含み、前記左昇降空間は前記注ぎ入れ空間の上壁の左側に連通するように設置され、前記左昇降空間の中には左昇降板が上下にスライドできるように設置され、前記左昇降板の下端面には九つの注ぎ入れヘッドが固定的に設置され、且つ前記九つの注ぎ入れヘッドは矩形を呈して配列され、前記左昇降板の中には栄養液貯蔵空間が設置され、前記栄養液貯蔵空間の上壁の中には環状の押し板空間が連通するように設置され、前記押し板空間の中には下押し板が上下にスライドできるように設置され、前記下押し板の上端面には昇降ロッドが左右対称的に、且つ固定的に設置され、前記昇降ロッドの上端は前記左昇降板の上方に延在し、前記ベルトコンベアは整列したボトルを前記注ぎ入れヘッドの真下に移動させ、前記昇降ロッドは前記下押し板を下降させ、前記左昇降板は自身の重力で下降することで、前記注ぎ入れヘッドを駆動してボトルの口に下降させ、この時に前記左昇降板は下降しなくなり、前記下押し板は下降し続け、前記栄養液貯蔵空間を圧縮し、前記栄養液貯蔵空間の中にある植物栄養液は前記注ぎ入れヘッドを通してボトルの中に注がれ、前記注ぎ入れ空間の右上方には蓋かぶせ装置が設置され、前記蓋かぶせ装置は前記注ぎ入れ空間の上壁の右端に設置された右昇降空間を含み、前記右昇降空間の中には右昇降板が上下にスライドできるように設置され、前記右昇降板の中には九つの蓋かぶせ空間が上下に貫通するように設置され、且つ前記九つの蓋かぶせ空間が矩形を呈して配列され、前記右昇降空間の上壁には上方に開口した蓋貯蔵空間が連通するように設置され、前記蓋貯蔵空間は前記蓋かぶせ空間の上方に正対し、前記蓋貯蔵空間の中に貯蔵される蓋は前記蓋かぶせ空間の中に落ち、前記ベルトコンベアは蓋を前記右昇降板の下方に輸送する時に、前記右昇降板が下降すると前記蓋かぶせ空間の中の蓋をボトルの口にかぶせることができる。
【０００７】
好ましくは、前記栄養液貯蔵空間の下壁の中には前記注ぎ入れヘッドの上方に正対するゴムリングが固定的に設置され、前記ゴムリングは矩形を呈して配列され、前記ゴムリングは強い力に押し出されると内部には穴を形成する。
【０００８】
好ましくは、前記輸送装置は輸送車輪を含み、前記輸送車輪は前記注ぎ入れ空間の前後壁に左右対称的に、且つ回転できるように連結され、前記ベルトコンベアは前記輸送車輪に巻き付くように設置され、前記注ぎ入れ空間の後壁にはタイミング空間が設置され、且つ前記タイミング空間は前記輸送車輪の後側に正対し、前記タイミング空間の中にはタイミングプーリが左右対称的に、且つ回転できるように設置され、且つ前記タイミングプーリは前記輸送車輪の後端に固定的に連結され、前記タイミングプーリの間にはタイミングベルトが巻き付くように設置され、前記タイミング空間の後壁の右端には輸送モーターが固定的に設置され、右側の前記タイミングプーリは前記輸送モーターの前端に伝動できるように連結されている。
【０００９】
好ましくは、前記左昇降空間の上側にはカム空間が設置され、前記カム空間の中には往復板が上下にスライドできるように設置され、前記往復板の下端面の中心と前記カム空間の下壁との間には押圧ばねが固定的に連結され、前記カム空間の前後壁には回転軸が回転できるように設置され、且つ前記回転軸は前記往復板の上側に位置し、前記回転軸の外円周面にはカムが固定的に設置され、且つ前記カムは前記往復板の上端面と当接し、前記カム空間と前記左昇降空間との間には連通口が左右対称的に、且つ連通するように設置され、前記昇降ロッドの上端は前記連通口を貫通して前記往復板の下端面に固定的に連結されている。
【００１０】
好ましくは、前記左昇降空間の上壁の中心には栄養液送り込みパイプが連通するように設置され、前記左昇降空間の上壁の中心には伸縮パイプが固定的に連結され、且つ前記伸縮パイプは前記栄養液送り込みパイプに連通し、前記伸縮パイプの下端は前記左昇降板の上端面の中心に固定的に連結され、前記栄養液貯蔵空間の上壁の中心にはバルブポートが連通するように設置され、且つ前記バルブポートは前記伸縮パイプに連通し、前記バルブポートの中には逆止弁が固定的に設置され、植物栄養液は前記バルブポートを通して前記栄養液貯蔵空間の中にしか入れない。
【００１１】
好ましくは、前記左昇降空間の左右壁には復帰空間が対称的に、且つ連通するように設置され、前記復帰空間の中には復帰ブロックが上下にスライドできるように設置され、且つ前記復帰ブロックは前記左昇降板の左右両端に固定的に連結され、前記復帰ブロックの下端と前記復帰空間の下壁と間には復帰ばねが固定的に連結されている。
【００１２】
好ましくは、前記蓋かぶせ空間の左右壁には反転空間が対称的に、且つ連通するように設置され、前後に整列した前記反転空間を一列とし、同じ列に位置する前記反転空間の前後壁の間には反転軸が貫通するように、且つ回転できるように設置され、前記反転軸の外円周面には反転ロッドが固定的に設置され、且つ前記反転ロッドは各前記反転空間の中に位置し、前記反転ロッドにおいて前記蓋かぶせ空間に近接した片側端面にはパレットが上下対称的に、且つ固定的に設置され、前記右昇降板の中の後側には伝動空間が左右に貫通するように設置され、一番左側と一番右側に位置する前記反転軸の後端において前記伝動空間の中に延在した部分には主動平歯車が固定的に設置され、前記主動平歯車の後端には主動プーリが固定的に設置され、中間に位置する左右両側の前記反転軸の後端において前記伝動空間の中に延在した部分には伝動平歯車が固定的に設置され、前記伝動平歯車の後端には従動プーリが固定的に設置され、前記従動プーリと同じ側の主動プーリとの間には伝動ベルトが巻き付くように設置され、前記主動平歯車と前記伝動平歯車の間に位置する前記反転軸の後端において前記伝動空間の中に延在した部分には従動平歯車が固定的に設置され、且つ前記従動平歯車は前記伝動平歯車と噛み合う。
【００１３】
好ましくは、前記右昇降空間の左右両壁の後側にはラックが対称的に、且つ固定的に設置され、左右両側の前記主動平歯車はそれぞれ左右両側の前記ラックと噛み合う。
【００１４】
好ましくは、前記右昇降空間の前後壁の上側にはクランク空間が連通するように設置され、前記クランク空間において前記右昇降空間から離れた片側内壁にはクランクが回転できるように設置され、前記クランクにおいて前記右昇降空間に近接した一端の偏心部分にはコンロッドがヒンジで連結され、前記コンロッドの下端は前記右昇降板の前後両端にヒンジで連結され、前記クランクの回転中心には伝動軸が固定的に設置され、前記クランク空間において前記右昇降空間から離れた片側には鎖歯車空間が設置され、前記伝動軸において同じ側の前記鎖歯車空間の中に延在した部分には従動鎖歯車が固定的に設置され、前記従動鎖歯車の左側には主動鎖歯車が回転できるように設置され、且つ前記主動鎖歯車は前記回転軸の前後両側に正対し、前記主動鎖歯車と前記従動鎖歯車との間にはチェーンが巻き付くように設置されている。
【００１５】
好ましくは、前記カム空間の後壁と後側の前記鎖歯車の前壁との間には作動モーターが固定的に設置さ、後側の前記主動鎖歯車は前記作動モーターの後端に伝動できるように連結され、前記回転軸の後端は前記作動モーターの前端に伝動できるように連結され、前側の前記主動鎖歯車は前記回転軸の前端に固定的に連結されている。
【発明の効果】
【００１６】
本願発明の有益な効果は：本願発明はボトルの中に植物栄養液を注ぎ入れてから直接に密封処理をし、注ぎ入れる過程に九つのボトルに一緒に栄養液を注ぎ入れる方法をとり、また蓋をかぶせる過程に九つのボトルを一緒に密封する方法を取り、大いに注ぎ入れ効率を向上させ、作業全過程には自動定位及び自動制御を利用するため、精度を上げる。
【図面の簡単な説明】
【００１７】
下記に図１〜７をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１８】
【図１】図１は本願発明の植物栄養液の注ぎ入れ装置の全体構成概略図
【図２】図２は図１においてＡの拡大概略図
【図３】図３は図１においてＢの拡大概略図
【図４】図４は図３においてＣ―Ｃ方向の構成概略図
【図５】図５は図３においてＤ―Ｄ方向の構成概略図
【図６】図６は図１においてＥ―Ｅ方向の構成概略図
【図７】図７は図７においてＦ―Ｆ方向の構成概略図
【発明を実施するための形態】
【００１９】
本願発明は植物栄養液の注ぎ入れ装置に関し、主に植物栄養液の注ぎ入れおよび密封作業に使用され、以下、本願発明の図面を参照してさらに説明する。
【００２０】
本願発明の植物栄養液の注ぎ入れ装置は、注ぎ入れ機１１を含み、前記注ぎ入れ機１１の中には左右に貫通する注ぎ入れ空間１２が設置され、前記注ぎ入れ空間１２の内部の下側には輸送装置１０１が設置され、前記輸送装置１０１の中にはベルトコンベア１３が設置され、前記注ぎ入れ空間１２の左上方には注ぎ入れ装置１０２が設置され、前記注ぎ入れ装置１０２は左昇降空間１４を含み、前記左昇降空間１４は前記注ぎ入れ空間１２の上壁の左側に連通するように設置され、前記左昇降空間１４の中には左昇降板１５が上下にスライドできるように設置され、前記左昇降板１５の下端面には九つの注ぎ入れヘッド１６が固定的に設置され、且つ前記九つの注ぎ入れヘッド１６は矩形を呈して配列され、前記左昇降板１５の中には栄養液貯蔵空間１７が設置され、前記栄養液貯蔵空間１７の上壁の中には環状の押し板空間１９が連通するように設置され、前記押し板空間１９の中には下押し板２０が上下にスライドできるように設置され、前記下押し板２０の上端面には昇降ロッド２１が左右対称的に、且つ固定的に設置され、前記昇降ロッド２１の上端は前記左昇降板１５の上方に延在し、前記ベルトコンベア１３は整列したボトルを前記注ぎ入れヘッド１６の真下に移動させ、前記昇降ロッド２１は前記下押し板２０を下降させ、前記左昇降板１５は自身の重力で下降することで、前記注ぎ入れヘッド１６を駆動してボトルの口に下降させ、この時に前記左昇降板１５は下降しなくなり、前記下押し板２０は下降し続け、前記栄養液貯蔵空間１７を圧縮し、前記栄養液貯蔵空間１７の中にある植物栄養液は前記注ぎ入れヘッド１６を通してボトルの中に注がれ、前記注ぎ入れ空間１２の右上方には蓋かぶせ装置１０３が設置され、前記蓋かぶせ装置１０３は前記注ぎ入れ空間１２の上壁の右端に設置された右昇降空間２２を含み、前記右昇降空間２２の中には右昇降板２３が上下にスライドできるように設置され、前記右昇降板２３の中には九つの蓋かぶせ空間２４が上下に貫通するように設置され、且つ前記九つの蓋かぶせ空間２４が矩形を呈して配列され、前記右昇降空間２２の上壁には上方に開口した蓋貯蔵空間２５が連通するように設置され、前記蓋貯蔵空間２５は前記蓋かぶせ空間２４の上方に正対し、前記蓋貯蔵空間２５の中に貯蔵される蓋は前記蓋かぶせ空間２４の中に落ち、前記ベルトコンベア１３は蓋を前記右昇降板２３の下方に輸送する時に、前記右昇降板２３が下降すると前記蓋かぶせ空間２４の中の蓋をボトルの口にかぶせることができる。
【００２１】
有益なように、前記栄養液貯蔵空間１７の下壁の中には前記注ぎ入れヘッド１６の上方に正対するゴムリング１８が固定的に設置され、前記ゴムリング１８は矩形を呈して配列され、前記ゴムリング１８は強い力に押し出されると内部には穴を形成する。
【００２２】
有益なように、前記輸送装置１０１は輸送車輪２６を含み、前記輸送車輪２６は前記注ぎ入れ空間１２の前後壁に左右対称的に、且つ回転できるように連結され、前記ベルトコンベア１３は前記輸送車輪２６に巻き付くように設置され、前記注ぎ入れ空間１２の後壁にはタイミング空間２７が設置され、且つ前記タイミング空間２７は前記輸送車輪２６の後側に正対し、前記タイミング空間２７の中にはタイミングプーリ２８が左右対称的に、且つ回転できるように設置され、且つ前記タイミングプーリ２８は前記輸送車輪２６の後端に固定的に連結され、前記タイミングプーリ２８の間にはタイミングベルト２９が巻き付くように設置され、前記タイミング空間２７の後壁の右端には輸送モーター３０が固定的に設置され、右側の前記タイミングプーリ２８は前記輸送モーター３０の前端に伝動できるように連結されている。
【００２３】
有益なように、前記左昇降空間１４の上側にはカム空間３１が設置され、前記カム空間３１の中には往復板３２が上下にスライドできるように設置され、前記往復板３２の下端面の中心と前記カム空間３１の下壁との間には押圧ばね３３が固定的に連結され、前記カム空間３１の前後壁には回転軸３４が回転できるように設置され、且つ前記回転軸３４は前記往復板３２の上側に位置し、前記回転軸３４の外円周面にはカム３５が固定的に設置され、且つ前記カム３５は前記往復板３２の上端面と当接し、前記カム空間３１と前記左昇降空間１４との間には連通口３６が左右対称的に、且つ連通するように設置され、前記昇降ロッド２１の上端は前記連通口３６を貫通して前記往復板３２の下端面に固定的に連結されている。
【００２４】
有益なように、前記左昇降空間１４の上壁の中心には栄養液送り込みパイプ３７が連通するように設置され、前記左昇降空間１４の上壁の中心には伸縮パイプ３８が固定的に連結され、且つ前記伸縮パイプ３８は前記栄養液送り込みパイプ３７に連通し、前記伸縮パイプ３８の下端は前記左昇降板１５の上端面の中心に固定的に連結され、前記栄養液貯蔵空間１７の上壁の中心にはバルブポート３９が連通するように設置され、且つ前記バルブポート３９は前記伸縮パイプ３８に連通し、前記バルブポート３９の中には逆止弁４０が固定的に設置され、植物栄養液は前記バルブポート３９を通して前記栄養液貯蔵空間１７の中にしか入れない。
【００２５】
有益なように、前記左昇降空間１４の左右壁には復帰空間４１が対称的に、且つ連通するように設置され、前記復帰空間４１の中には復帰ブロック４２が上下にスライドできるように設置され、且つ前記復帰ブロック４２は前記左昇降板１５の左右両端に固定的に連結され、前記復帰ブロック４２の下端と前記復帰空間４１の下壁と間には復帰ばね４３が固定的に連結されている。
【００２６】
有益なように、前記蓋かぶせ空間２４の左右壁には反転空間４４が対称的に、且つ連通するように設置され、前後に整列した前記反転空間４４を一列とし、同じ列に位置する前記反転空間４４の前後壁の間には反転軸４５が貫通するように、且つ回転できるように設置され、前記反転軸４５の外円周面には反転ロッド４６が固定的に設置され、且つ前記反転ロッド４６は各前記反転空間４４の中に位置し、前記反転ロッド４６において前記蓋かぶせ空間２４に近接した片側端面にはパレット４７が上下対称的に、且つ固定的に設置され、前記右昇降板２３の中の後側には伝動空間７０が左右に貫通するように設置され、一番左側と一番右側に位置する前記反転軸４５の後端において前記伝動空間７０の中に延在した部分には主動平歯車４８が固定的に設置され、前記主動平歯車４８の後端には主動プーリ４９が固定的に設置され、中間に位置する左右両側の前記反転軸４５の後端において前記伝動空間７０の中に延在した部分には伝動平歯車５０が固定的に設置され、前記伝動平歯車５０の後端には従動プーリ５１が固定的に設置され、前記従動プーリ５１と同じ側の主動プーリ４９との間には伝動ベルト５２が巻き付くように設置され、前記主動平歯車４８と前記伝動平歯車５０の間に位置する前記反転軸４５の後端において前記伝動空間７０の中に延在した部分には従動平歯車５３が固定的に設置され、且つ前記従動平歯車５３は前記伝動平歯車５０と噛み合う。
【００２７】
有益なように、前記右昇降空間２２の左右両壁の後側にはラック５４が対称的に、且つ固定的に設置され、左右両側の前記主動平歯車４８はそれぞれ左右両側の前記ラック５４と噛み合う。
【００２８】
有益なように、前記右昇降空間２２の前後壁の上側にはクランク空間５５が連通するように設置され、前記クランク空間５５において前記右昇降空間２２から離れた片側内壁にはクランク５６が回転できるように設置され、前記クランク５６において前記右昇降空間２２に近接した一端の偏心部分にはコンロッド５７がヒンジで連結され、前記コンロッド５７の下端は前記右昇降板２３の前後両端にヒンジで連結され、前記クランク５６の回転中心には伝動軸５８が固定的に設置され、前記クランク空間５５において前記右昇降空間２２から離れた片側には鎖歯車空間５９が設置され、前記伝動軸５８において同じ側の前記鎖歯車空間５９の中に延在した部分には従動鎖歯車６０が固定的に設置され、前記従動鎖歯車６０の左側には主動鎖歯車６１が回転できるように設置され、且つ前記主動鎖歯車６１は前記回転軸３４の前後両側に正対し、前記主動鎖歯車６１と前記従動鎖歯車６０との間にはチェーン６２が巻き付くように設置されている。
【００２９】
有益なように、前記カム空間３１の後壁と後側の前記鎖歯車５９の前壁との間には作動モーター６３が固定的に設置さ、後側の前記主動鎖歯車６１は前記作動モーター６３の後端に伝動できるように連結され、前記回転軸３４の後端は前記作動モーター６３の前端に伝動できるように連結され、前側の前記主動鎖歯車６１は前記回転軸３４の前端に固定的に連結されている。
【００３０】
以下、図面１〜７を参照して本願発明の植物栄養液の注ぎ入れ装置の使用手順について詳しく説明する。
【００３１】
初めに、往復板３２は上限位置にあり、左昇降板１５は上限位置にあり、下押し板２０は押し板空間１９の中に収縮し、右昇降板２３は上限位置にあり、同じの蓋かぶせ空間２４の左右両側に位置する反転ロッド４６の下端は互いに近づき、下側のパレット４７は蓋かぶせ空間２４の中に延在し、且つ蓋かぶせ空間２４の中の蓋の下端を載せる。
【００３２】
注ぎ入れる時に、ボトルを矩形を呈して輸送ベルト１３の上方に配列し、この時に輸送モーター３０は作動して右側のタイミングプーリ２８を駆動して回転させ、タイミングベルト２９により左側のタイミングプーリ２８を駆動して同期に回転させることで、輸送車輪２６を回転させ、輸送ベルト１３によりボトルを注ぎ入れヘッド１６の下方に正対する位置に移動させ、この時に作動モーター６３は作動して回転軸３４を駆動して回転させ、そしてカム３５を百八十度回転させ、この時にカム３５の突起部分が往復板３２の上端面と当接すると往復板３２を押し動かして下降させ、昇降ロッド２１により下押し板２０を下降させ、この時に左昇降板１５は下降することで、注ぎ入れヘッド１６を駆動してボトルの口に下降させ、左昇降板１５は下降しなくなり、下押し板２０は下降し続けて栄養液貯蔵空間１７の中の栄養液を圧縮し、圧縮された栄養液の圧力によりゴムリング１８にある穴を開け、注ぎ入れヘッド１６を通して栄養液を各ボトルの中に注ぎ、この時にカム３５は引き続き百八十度回転し、往復板３２は押圧ばね３３の弾力で復帰し、左昇降板１５は復帰ばね４３の弾力で復帰し、この時に輸送モーター３０は再び作動し、且つ栄養液を注ぎ入れ終わったボトルを右昇降板２３の下方に輸送し、各ボトルの口は蓋かぶせ空間２４の下方に正対し、それと同時に次の組のボトルを左昇降板１５の下方に正対する位置に移動させ、作動モーター６３は作動して回転軸３４を駆動して回転させることで、次の組のボトルに植物栄養液を注ぎ入れ、この過程に、作動モーター６３は後側の主動鎖歯車６１を駆動して回転させ、回転軸３４は前側の主動鎖歯車６１を駆動して回転させ、チェーン６２により従動鎖歯車６０を回転させ、伝動軸５８によりクランク５６を百八十度回転させ、コンロッド５７により右昇降板２３を下降させてから蓋かぶせ空間２４の中に落ちた蓋を下降させ、この時に主動平歯車４８はラック５４に沿って下降且つ回転し、且つ主動プーリ４９を回転させ、伝動ベルト５２により従動プーリ５１を回転させ、且つ伝動平歯車５０を回転させ、歯車の噛合により従動平歯車５３を駆動して回転させ、反転軸４５を駆動して回転させ、この時に蓋かぶせ空間２４の左側に位置する反転ロッド４６は時計回り方向へ回転し、蓋かぶせ空間２４の右側に位置する反転ロッド４６は反時計回り方向へ回転し、下側のパレット４７は蓋の下端から離脱し、蓋はボトルの口に落ち、それと同時に上側のパレット４７は蓋の上端を下方に押し、蓋をボトルの口に閉めるように押し、クランク５６は引き続き百八十度回転することで復帰し、蓋貯蔵空間２５の内部の最下側に位置する蓋は補充のために蓋貯蔵空間２４の中に落ち、この時に次の組のボトルに栄養液を注ぎ入れる作業は完成する。
【００３３】
本願発明の有益な効果は：本願発明はボトルの中に植物栄養液を注ぎ入れてから直接に密封処理をし、注ぎ入れる過程に九つのボトルに一緒に栄養液を注ぎ入れる方法をとり、また蓋をかぶせる過程に九つのボトルを一緒に密封する方法を取り、大いに注ぎ入れ効率を向上させ、作業全過程には自動定位及び自動制御を利用するため、精度を上げる。
【００３４】
上記の方式によって、当業者は本発明の範囲内で作動モードに基づいて様々な変わりを行える。
【要約】
【課題】本願発明は植物栄養液の注ぎ入れ装置を開示した。
【解決手段】
注ぎ入れ機を含み、前記注ぎ入れ機の中には左右に貫通する注ぎ入れ空間が設置され、前記注ぎ入れ空間の内部の下側には輸送装置が設置され、前記輸送装置の中にはベルトコンベアが設置され、前記注ぎ入れ空間の左上方には注ぎ入れ装置が設置され、前記注ぎ入れ装置は左昇降空間を含み、本願発明はボトルの中に植物栄養液を注ぎ入れてから直接に密封処理をし、注ぎ入れる過程に九つのボトルに一緒に栄養液を注ぎ入れる方法をとり、また蓋をかぶせる過程に九つのボトルを一緒に密封する方法を取り、大いに注ぎ入れ効率を向上させ、作業全過程には自動定位及び自動制御を利用するため、精度を上げる。
【選択図】図１【図１】
0006764068.tif 000002
【図２】
0006764068.tif 000003
【図３】
0006764068.tif 000004
【図４】
0006764068.tif 000005
【図５】
0006764068.tif 000006
【図６】
0006764068.tif 000007
【図７】
0006764068.tif 000008